(57)【特許請求の範囲】
【請求項１】
複数の発光素子(1)が行列状に配置された表示部(10)と、
前記表示部(10)の行方向に配置された前記複数の発光素子(1)のアノード端子に接続された複数の共通ライン(C)に接続されており、前記共通ライン(C)を走査すると共に、選択された前記共通ライン(C)に電圧を印加する走査部(20)と、
前記表示部(10)の列方向に配置された前記複数の発光素子(1)のカソード端子に接続された複数の駆動ライン(S)に接続されており、前記走査部(20)が走査するタイミングに従って、所定の前記発光素子(1)を点灯可能な駆動部(30)と、
を備え、
前記発光素子(1)が発光ダイオードであり、
前記走査部(20)が前記共通ライン(C)を一通り走査する一フレームを複数枚組み合わせた一サイクルでもって、一画像を表示する表示装置の点灯制御方法であって、
一サイクルにおいて、一フレームで一部の行を点灯する工程と、
同一サイクルにおいて、前記共通ライン(C)から前記発光素子(1)を通して前記駆動ライン(S)の寄生容量を充電する一方、以降のフレームで他の一部又は他の全部の行を点灯する工程と、
を含み、
前記駆動ライン(S)の寄生容量の充電は、該駆動ライン(S)とカソード端子が接続された発光素子(1)が、一フレームで点灯された後、同一サイクルにおいて該発光素子(1)のアノード端子と接続された共通ライン(C)とは異なる他の一部又は全部の行に接続された発光素子(1)を点灯するまでの、前記駆動部(30)が前記発光素子(1)の導通を行わない非点灯期間に行われることを特徴とする表示装置の点灯制御方法。
【請求項２】
請求項１に記載の表示装置の点灯制御方法であって、
前記非点灯期間を、一定としてなることを特徴とする表示装置の点灯制御方法。
【請求項３】
請求項１又は２に記載の表示装置の点灯制御方法であって、
連続するサイクルで表示される画像が同一であることを特徴とする表示装置の点灯制御方法。
【請求項４】
請求項１から３のいずれか一に記載の表示装置の点灯制御方法であって、
各サイクルにおいて前記走査部(20)が前記共通ライン(C)を走査する順序を、サイクル間で同じ順としてなることを特徴とする表示装置の点灯制御方法。
【請求項５】
請求項１から４のいずれか一に記載の表示装置の点灯制御方法であって、
各フレームにおいて前記走査部(20)が前記共通ライン(C)を走査する順序を、該共通ライン(C)の接続順としてなることを特徴とする表示装置の点灯制御方法。
【請求項６】
請求項１から３のいずれか一に記載の表示装置の点灯制御方法であって、
一サイクル内において前記走査部(20)が前記共通ライン(C)を走査する順序を、各フレームで異ならせてなることを特徴とする表示装置の点灯制御方法。
【請求項７】
請求項６に記載の表示装置の点灯制御方法であって、
前記非点灯期間のタイミングを、各サイクルで一致させてなることを特徴とする表示装置の点灯制御方法。
【請求項８】
複数の発光素子(1)が行列状に配置された表示部(10)と、
前記表示部(10)の行方向に配置された前記複数の発光素子(1)のアノード端子に接続された複数の共通ライン(C)に接続されており、前記共通ライン(C)を走査すると共に、選択された前記共通ライン(C)に電圧を印加する走査部(20)と、
前記表示部(10)の列方向に配置された前記複数の発光素子(1)のカソード端子に接続された複数の駆動ライン(S)に接続されており、前記走査部(20)が走査するタイミングに従って、所定の前記発光素子(1)を点灯可能な駆動部(30)と、
を備え、
前記走査部(20)が前記共通ライン(C)を一通り走査する一フレームを複数枚組み合わせた一サイクルでもって、一画像を表示する表示装置の点灯制御方法であって、
第１サイクルで、前記表示部(10)の各行を第一の点灯順にて点灯し、画像を表示する工程と、
前記第１サイクルと連続する第２サイクルで、前記表示部(10)の各行を、前記第一の点灯順と最初に点灯する行が異なる第二の点灯順にて点灯し、前記第１サイクルと同一の画像を表示する工程と、
を含み、
所定の行の点灯と次に行われる他の行の点灯との間に、前記走査部(20)が一以上の共通ライン(C)の走査を行う一方で、前記駆動部(30)が前記発光素子(1)の導通を行わない非点灯期間を設けてなることを特徴とする表示装置の点灯制御方法。
【請求項９】
請求項８に記載の表示装置の点灯制御方法であって、
各フレームにおいて前記走査部(20)が前記共通ライン(C)を走査する順序を、連続するサイクル間で異ならせてなることを特徴とする表示装置の点灯制御方法。
【請求項１０】
複数の発光素子(1)が行列状に配置された表示部(10)と、
前記表示部(10)の行方向に配置された前記複数の発光素子(1)のアノード端子に接続された複数の共通ライン(C)に接続されており、前記共通ライン(C)を走査すると共に、選択された前記共通ライン(C)に電圧を印加する走査部(20)と、
前記表示部(10)の列方向に配置された前記複数の発光素子(1)のカソード端子に接続された複数の駆動ライン(S)に接続されており、前記走査部(20)が走査するタイミングに従って、所定の前記発光素子(1)を点灯可能な駆動部(30)と、
を備え、
前記発光素子(1)が発光ダイオードであり、
前記走査部(20)が前記共通ライン(C)を一通り走査する一フレームを複数枚組み合わせた一サイクルでもって、一画像を表示する表示ユニットであって、
さらに、
一サイクルにおいて、一フレームで一部の行を点灯し、他フレームで他の一部又は他の全部の行を点灯すると共に、前記駆動ライン(S)の寄生容量を前記共通ライン(C)から前記発光素子(1)を通して充電するよう制御する点灯制御部(2)と、
を備えることを特徴とする表示ユニット。
【請求項１１】
請求項１０に記載の表示ユニットであって、
前記点灯制御部(2)が、所定の行の点灯と次に行われる他の行の点灯との間に、前記走査部(20)が一以上の共通ライン(C)の走査を行う一方で、前記駆動部(30)が前記発光素子(1)の導通を行わない非点灯期間を設けてなることを特徴とする表示ユニット。
【請求項１２】
請求項１１に記載の表示ユニットであって、
前記点灯制御部(2)が、前記非点灯期間を、一定としてなることを特徴とする表示ユニット。
【請求項１３】
請求項１０から１２のいずれか一に記載の表示ユニットであって、
各フレームにおいて前記走査部(20)が前記共通ライン(C)を走査する順序を、共通ライン(C)の接続順としてなることを特徴とする表示ユニット。
【請求項１４】
複数の発光素子(1)が行列状に配置された表示部(10)と、
前記表示部(10)の行方向に配置された前記複数の発光素子(1)のアノード端子に接続された複数の共通ライン(C)に接続されており、前記共通ライン(C)を走査すると共に、選択された前記共通ライン(C)に電圧を印加する走査部(20)と、
前記表示部(10)の列方向に配置された前記複数の発光素子(1)のカソード端子に接続された複数の駆動ライン(S)に接続されており、前記走査部(20)が走査するタイミングに従って、所定の前記発光素子(1)を点灯可能な駆動部(30)と、
を備え、
前記走査部(20)が前記共通ライン(C)を一通り走査する一フレームを複数枚組み合わせた一サイクルでもって、一画像を表示する表示ユニットであって、
さらに、
連続する第１サイクルと第２サイクルでそれぞれ同一の画像を表示する際に、前記第１サイクルにおける各行の点灯順と、前記第２サイクルにおける各行の点灯順とを、最初に点灯する行が異なるように制御する点灯制御部(2)と
を備え、
前記点灯制御部(2)が、所定の行の点灯と次に行われる他の行の点灯との間に、前記走査部(20)が一以上の共通ライン(C)の走査を行う一方で、前記駆動部(30)が前記発光素子(1)の導通を行わない非点灯期間を設けてなることを特徴とする表示ユニット。
【請求項１５】
請求項１４に記載の表示ユニットであって、
前記点灯制御部(2)が、各フレームにおいて前記走査部(20)が前記共通ライン(C)を走査する順序を、連続するサイクル間で異ならせてなることを特徴とする表示ユニット。
【発明の詳細な説明】
【技術分野】
【０００１】
本発明は、行列配置された複数の発光素子を備える表示ユニットや、これを用いた表示装置の点灯制御方法に関する。
【背景技術】
【０００２】
今日、発光素子として発光ダイオード（Light Emitting Diode：ＬＥＤ）を用いた表示ユニットや、これを用いた表示装置が作製されている。例えば、複数の表示ユニットを組み合わせることにより大型の表示装置とすることができる。ここでｍ行×ｎ列ドットマトリックスで構成された表示ユニットを考えると、例えば各行に位置する各ＬＥＤのアノード端子が１つの共通ラインに接続され、各列に位置する各ＬＥＤ素子のカソード端子が１つの駆動ラインに接続される。そして、ｍ行の共通ラインが所定の周期で順次ＯＮされ、ＯＮした共通ライン上に配置されたＬＥＤは各駆動ラインにより個別に駆動される。
【０００３】
このような表示ユニットの表示方法の場合、各サイクルにおいて最初に駆動される発光素子が、他の発光素子に比較して暗くなる場合があるという問題があった。そのメカニズムを、図１０〜図１２に基づいて説明する。ここで図１０（ａ）は、表示ユニットの模式平面図、図１０（ｂ）はこの表示ユニットにおいて一部の行が暗く点灯された状態を示す模式平面図、図１１はこの表示ユニットにおける各発光素子１の従来の点灯タイミングを示すタイミングチャートである。ここでは、１画像を表示するための１サイクルを複数のフレームに分割し、各フレームを制御することにより全体として１画像を表示する場合について説明する。また図１２（ａ）〜（ｈ）は、図１１の区間１１〜２３における表示ユニットの電流の流れをそれぞれ示した回路図である。ここで図１２（ａ）はサイクルＣＬ１における区間１１、図１２（ｂ）は区間１２、図１２（ｃ）は区間１３、図１２（ｄ）は区間２１、図１２（ｅ）は区間２２、図１２（ｆ）は区間２３、図１２（ｇ）は残留電荷が溜まった状態、図１２（ｈ）はサイクルＣＬ２以降における区間１１を、それぞれ示している。なお、これらの図１２（ａ）〜（ｈ）においては、発光素子１が所望の輝度で発光している状態を示すために、点灯中の発光素子１を黒色で示している。また、電流の流れを矢印で示している。さらに、各配線が持つ寄生容量を仮想的に等価コンデンサＣS0〜ＣS2として、各駆動ラインＳ０〜Ｓ２（以下、Ｓ０〜Ｓ２をまとめて単に「Ｓ」ともいう。）上に図示している。
【０００４】
図１０（ａ）〜（ｂ）に示す表示ユニットは、表示部を３行×３列の行列配置としており、各ドットに発光素子としてＬＥＤを配置している。この表示ユニットの回路構成は図１２（ａ）〜（ｈ）のようになり、３行×３列で行列配置された計９つの発光素子１と、行方向における３つの発光素子１のアノード端子にそれぞれ接続された３つの共通ラインＣ０〜Ｃ２（以下、Ｃ０〜Ｃ２をまとめて単に「Ｃ」ともいう。）と、列方向における３つの発光素子１のカソード端子にそれぞれ接続された３つの駆動ラインＳ０〜Ｓ２と、共通ラインＣ０〜Ｃ２を走査する走査部２０と、駆動ラインＳ０〜２を介して電流を引き込み発光素子１に電流を流す駆動部３０とを備える。
【０００５】
また図１１には、表示ユニットの点灯タイミングを示している。この図に示すように、電源を投入後に表示ユニットに与えられる最初のサイクルＣＬをＣＬ１、２番目をＣＬ２、３番目をＣＬ３として、それぞれ示している。またＣＬ１〜ＣＬ３はそれぞれ複数のフレームＦＭに分割される。各フレームにおいて、共通ラインＣの走査順は同じであり、ＣＯ、Ｃ１、Ｃ２の順としている。ここでは、各サイクルにおいてＦＭ１のみですべての発光素子を最小輝度（最小階調）で点灯し、他のフレームにおいてはすべての発光素子を消灯する動作を想定している。つまり、各サイクルＣＬ１〜ＣＬ３においてすべての発光素子を最小輝度で点灯する場合を想定する。なお図１１では、作図の都合上、各サイクルの区間１１、１２及び１３において、Ｓ０、Ｓ１及びＳ２に接続された発光素子１が最大輝度（最大階調）で点灯しているように見えるが、実際はＦＭ１において最小輝度（最小階調）で点灯しているものとする。
【０００６】
まず、サイクルＣＬ１での動作について図１２（ａ）を参照して説明する。フレームＦＭ１で最初に走査される共通ラインＣ０がＯＮする区間１１では、走査部２０により共通ラインＣ０に電圧が印加されると共に、駆動ラインＳ０〜Ｓ２を介して駆動部３０により所定の電流が引き込まれる。この結果、Ｃ０に接続された３つの発光素子１は所望の輝度で点灯する。次に区間１２では、図１２（ｂ）に示すように、走査部２０により共通ラインＣ１に電圧が印加されると共に、駆動ラインＳ０〜Ｓ２を介して駆動部３０により所定の電流が引き込まれる。この結果、Ｃ１に接続された３つの発光素子１が所望の輝度で点灯する。同様に、区間１３では図１２（ｃ）に示すように、Ｃ２に接続された３つの発光素子１が所定の輝度で点灯する。
【０００７】
次に、フレームＦＭ２における区間２１では、図１２（ｄ）に示すように、共通ラインＣ０に電圧が印加されるものの、駆動ラインがＯＦＦ状態であって駆動部３０が電流を引き込まないため、各配線（Ｓ０、Ｓ１及びＳ２）の寄生容量に対して充電される。同様に、区間２２では、図１２（ｅ）に示すように共通ラインＣ１に電圧が印加されるものの、駆動部３０が電流を引き込まないため、各配線（Ｓ０、Ｓ１及びＳ２）の寄生容量が充電される。区間２３も同様に、図１２（ｆ）に示すように各配線（Ｓ０、Ｓ１及びＳ２）の寄生容量が充電される。このように、各フレームＦＭにおいて同様の走査が行われることにより、最終的には図１２（ｇ）に示すように各配線の寄生容量が完全に充電されて、それ以上充電されなくなる。
【０００８】
次に、サイクルＣＬ２での動作について説明する。サイクルＣＬ２ではサイクルＣＬ１と異なり、最初に発光する発光素子１が他に比べて暗くなる。つまり、図１２（ｈ）に示すようにフレームＦＭ１における区間１１では、走査部２０により共通ラインＣ０に電圧が印加されると共に、駆動ラインＳ０〜Ｓ２を介して駆動部３０により所定の電流が引き込まれるので、Ｃ０に接続された３つの発光素子１が点灯する。
【０００９】
しかしながら、サイクルＣＬ１において各駆動ラインＳ０〜Ｓ２の寄生容量が充電されているため、駆動ラインＳ０〜Ｓ２を介して駆動部に引き込まれる電流は、実際には発光素子１に流れる電流に加えて、寄生容量が加算された電流量となる。つまり、区間１１では、他の区間１２及び１３に比較して、実際に発光素子１に流れる電流が、寄生容量が放電される電流分だけ相対的に少なくなるので、Ｃ０に接続された発光素子１の、サイクルＣＬ２の区間における発光量は、Ｃ１及びＣ２に接続された発光素子１と比べて暗くなってしまう、暗ラインが発生する。
【００１０】
なお図１１では、サイクルＣＬ２及びＣＬ３の区間１１で発光素子１が暗くなることを示すため、Ｃ０のオン期間をハッチングで示している。また図１２（ｈ）では、寄生容量に起因して発光素子が暗くなることを示すため、発光素子１をハッチングで示している。
【００１１】
次に区間１２では、図１２（ｂ）に示すように、走査部２０により共通ラインＣ１に電圧が印加されると共に駆動ラインＳ０〜Ｓ２を介して駆動部３０により所定の電流が引き込まれる。このとき、フレームＦＭ１において寄生容量分の電流が駆動部３０にて引き抜かれているので、Ｃ１に接続された３つの発光素子１は所望の輝度で点灯することができる。同様に区間１３でも、図１２（ｃ）に示すように、Ｃ２に接続された３つの発光素子１は所望の輝度電点灯する。なお、区間２１以降についてはサイクルＣＬ１と同様なので説明を省略する。さらにサイクルＣＬ３以降についても、区間１１における発光素子１が暗くなってしまうことが生じる。そのメカニズムについてはＣＬ２と同様なので繰り返さない。
【００１２】
以上のような理由により、従来の駆動方法では、寄生容量に起因して暗い発光素子が生じてしまい、表示品質に影響を与えるという問題があった。
【先行技術文献】
【特許文献】
【００１３】
【特許文献１】特開２００６−１４７９３３号公報
【発明の概要】
【発明が解決しようとする課題】
【００１４】
本発明は、従来のこのような問題点に鑑みてなされたものである。本発明の主な目的は、各サイクルにおいて最初に駆動される発光素子が、他の発光素子に比較して暗くなることを回避し、表示品質を改善した表示装置の点灯制御方法及び表示ユニットを提供することにある。
【課題を解決するための手段及び発明の効果】
【００１５】
上記の目的を達成するために、本発明の第１の側面に係る表示装置の点灯制御方法によれば、複数の発光素子１が行列状に配置された表示部１０と、前記表示部１０の行方向に配置された前記複数の発光素子１のアノード端子に接続された複数の共通ラインＣに接続されており、前記共通ラインＣを走査すると共に、選択された前記共通ラインＣに電圧を印加する走査部２０と、前記表示部１０の列方向に配置された前記複数の発光素子１のカソード端子に接続された複数の駆動ラインＳに接続されており、前記走査部２０が走査するタイミングに従って、所定の前記発光素子１を点灯可能な駆動部３０と、を備え、前記発光素子１が発光ダイオードであり、前記走査部２０が前記共通ラインＣを一通り走査する一フレームを複数枚組み合わせた一サイクルでもって、一画像を表示する表示装置の点灯制御方法であって、一サイクルにおいて、一フレームで一部の行を点灯する工程と、同一サイクルにおいて、前記共通ラインＣから前記発光素子１を通して前記駆動ラインＳの寄生容量を充電する一方、以降のフレームで他の一部又は他の全部の行を点灯する工程と、を含み、前記駆動ラインＳの寄生容量の充電は、該駆動ラインＳとカソード端子が接続された発光素子１が、一フレームで点灯された後、同一サイクルにおいて該発光素子１のアノード端子と接続された共通ラインＣとは異なる他の一部又は全部の行に接続された発光素子１を点灯するまでの、前記駆動部３０が前記発光素子１の導通を行わない非点灯期間に行われることができる。これにより、一サイクルにおいて点灯する行をフレーム間で異ならせることで、駆動ラインの寄生容量に起因して所定の行が暗くなる現象（暗ライン）を抑制することができる。
【００１６】
また、実施形態に係る表示装置の点灯制御方法によれば、所定の行の点灯と次に行われる他の行の点灯との間に、前記走査部２０が一以上の共通ラインＣの走査を行う一方で、前記駆動部３０が前記発光素子の導通を行わない非点灯期間を設けることができる。これにより、駆動ラインを導通する動作を時間的に離間させることで、駆動ラインが導通されずに点灯されない状態が連続する非点灯期間を短縮でき、暗ラインの発生を抑制できる。
【００１７】
さらに、第２の側面に係る表示装置の点灯制御方法によれば、前記非点灯期間を、一定とすることができる。これにより、駆動ラインの寄生容量に電荷が蓄えられる時間を一定として、すべての行で発光素子の発光量を一致させることができ特定行の発光素子のみが暗くなる現象を回避できる。
【００１８】
さらにまた、第３の側面に係る表示装置の点灯制御方法によれば、連続するサイクルで表示される画像を同一とできる。これにより、静止画の表示において、特定の行が暗くなる暗ラインの発生を抑制できる。
さらにまた、第４の側面に係る表示装置の点灯制御方法によれば、各サイクルにおいて前記走査部２０が前記共通ラインＣを走査する順序を、サイクル間で同じ順とすることができる。
さらにまた、第５の側面に係る表示装置の点灯制御方法によれば、各フレームにおいて前記走査部２０が前記共通ラインＣを走査する順序を、該共通ラインＣの接続順とすることができる。
さらにまた、第６の側面に係る表示装置の点灯制御方法によれば、一サイクル内において前記走査部２０が前記共通ラインＣを走査する順序を、各フレームで異ならせることができる。
さらにまた、第７の側面に係る表示装置の点灯制御方法によれば、前記非点灯期間のタイミングを、各サイクルで一致させることができる。
【００１９】
さらにまた、実施の形態に係る表示装置の点灯制御方法によれば、複数の発光素子１が行列状に配置された表示部１０と、前記表示部１０の行方向に配置された前記複数の発光素子１のアノード端子に接続された複数の共通ラインＣに接続されており、前記共通ラインＣを走査すると共に、選択された前記共通ラインＣに電圧を印加する走査部２０と、前記表示部１０の列方向に配置された前記複数の発光素子１のカソード端子に接続された複数の駆動ラインＳに接続されており、前記走査部２０が走査するタイミングに従って、所定の前記発光素子１を点灯可能な駆動部３０と、を備え、前記走査部２０が前記共通ラインＣを一通り走査する一フレームを複数枚組み合わせた一サイクルでもって、一画像を表示する表示装置の点灯制御方法であって、第１サイクルで、前記表示部１０の各行を第一の点灯順にて点灯し、画像を表示する工程と、前記第１サイクルと連続する第２サイクルで、前記表示部１０の各行を、前記第一の点灯順と最初に点灯する行が異なる第二の点灯順にて点灯し、前記第一サイクルと同一の画像を表示する工程と、を含むことができる。これにより、サイクル間で点灯する行の点灯順を異ならせることで、駆動ラインの寄生容量に起因して点灯量が少なくなる行を分散させて、特定の行が暗くなる暗ラインの発生を抑制できる。
【００２０】
さらにまた、第８の側面に係る表示装置の点灯制御方法によれば、複数の発光素子１が行列状に配置された表示部１０と、前記表示部１０の行方向に配置された前記複数の発光素子１のアノード端子に接続された複数の共通ラインＣに接続されており、前記共通ラインＣを走査すると共に、選択された前記共通ラインＣに電圧を印加する走査部２０と、前記表示部１０の列方向に配置された前記複数の発光素子１のカソード端子に接続された複数の駆動ラインＳに接続されており、前記走査部２０が走査するタイミングに従って、所定の前記発光素子１を点灯可能な駆動部３０と、を備え、前記走査部２０が前記共通ラインＣを一通り走査する一フレームを複数枚組み合わせた一サイクルでもって、一画像を表示する表示装置の点灯制御方法であって、第１サイクルで、前記表示部１０の各行を第一の点灯順にて点灯し、画像を表示する工程と、前記第１サイクルと連続する第２サイクルで、前記表示部１０の各行を、前記第一の点灯順と最初に点灯する行が異なる第二の点灯順にて点灯し、前記第１サイクルと同一の画像を表示する工程と、を含み、所定の行の点灯と次に行われる他の行の点灯との間に、前記走査部２０が一以上の共通ラインＣの走査を行う一方で、前記駆動部３０が前記発光素子１の導通を行わない非点灯期間を設けることができる。これにより、共通ライン側の走査を変更することなく、駆動ラインを導通する動作を時間的に離間させることで、駆動ラインが導通されずに点灯されない状態が連続する非点灯期間を短縮でき、暗ラインの発生を抑制できる。
【００２１】
さらにまた、第９の側面に係る表示装置の点灯制御方法によれば、各フレームにおいて前記走査部２０が前記共通ラインＣを走査する順序を、連続するサイクル間で異ならせることができる。これにより、駆動ライン側の導通タイミングを変更することなく、共通ラインの走査順をサイクル間で変更することにより、駆動ラインの寄生容量に起因して点灯量が少なくなる発光素子を分散させて、特定の発光素子のみが暗くなる現象を目立たないようにできる。
【００２２】
さらにまた、第１０の側面に係る表示ユニットによれば、複数の発光素子１が行列状に配置された表示部１０と、前記表示部１０の行方向に配置された前記複数の発光素子１のアノード端子に接続された複数の共通ラインＣに接続されており、前記共通ラインＣを走査すると共に、選択された前記共通ラインＣに電圧を印加する走査部２０と、前記表示部１０の列方向に配置された前記複数の発光素子１のカソード端子に接続された複数の駆動ラインＳに接続されており、前記走査部２０が走査するタイミングに従って、所定の前記発光素子１を点灯可能な駆動部３０と、を備え、前記発光素子１が発光ダイオードであり、前記走査部２０が前記共通ラインＣを一通り走査する一フレームを複数枚組み合わせた一サイクルでもって、一画像を表示する表示ユニットであって、さらに、一サイクルにおいて、一フレームで一部の行を点灯し、他フレームで他の一部又は他の全部の行を点灯すると共に、前記駆動ラインＳの寄生容量を前記共通ラインＣから前記発光素子１を通して充電するよう制御する点灯制御部２と、を備えることができる。これにより、一サイクルにおいて点灯する行をフレーム間で異ならせることで、駆動ラインの寄生容量に起因して所定の行が暗くなる現象（暗ライン）を抑制することができる。
【００２３】
さらにまた、第１１の側面に係る表示ユニットによれば、前記点灯制御部２が、所定の行の点灯と次に行われる他の行の点灯との間に、前記走査部２０が一以上の共通ラインＣの走査を行う一方で、前記駆動部３０が前記発光素子１の導通を行わない非点灯期間を設けることができる。これにより、駆動ラインを導通する動作を時間的に離間させることで、駆動ラインが導通されずに点灯されない状態が連続する非点灯期間を短縮でき、ちらつきを抑制できる。
【００２４】
さらにまた、第１２の側面に係る表示ユニットによれば、前記点灯制御部２が、前記非点灯期間を、一定とすることができる。これにより、駆動ラインの寄生容量に電荷が蓄えられる時間を一定として、すべての行で発光素子の発光量を一致させることができ特定行の発光素子のみが暗くなる現象を回避できる。
【００２５】
さらにまた、実施の形態に係る表示ユニットによれば、前記表示部１０に表示される、連続するサイクルで表示される画像を同一とすることができる。これにより、静止画の表示において、特定の行が暗くなる暗ラインの発生を抑制できる。
さらにまた、第１３の側面に係る表示ユニットによれば、各フレームにおいて前記走査部２０が前記共通ラインＣを走査する順序を、共通ラインＣの接続順とすることができる。
【００２６】
さらにまた、第１４の側面に係る表示ユニットによれば、複数の発光素子１が行列状に配置された表示部１０と、前記表示部１０の行方向に配置された前記複数の発光素子１のアノード端子に接続された複数の共通ラインＣに接続されており、前記共通ラインＣを走査すると共に、選択された前記共通ラインＣに電圧を印加する走査部２０と、前記表示部１０の列方向に配置された前記複数の発光素子１のカソード端子に接続された複数の駆動ラインＳに接続されており、前記走査部２０が走査するタイミングに従って、所定の前記発光素子１を点灯可能な駆動部３０と、を備え、前記走査部２０が前記共通ラインＣを一通り走査する一フレームを複数枚組み合わせた一サイクルでもって、一画像を表示する表示ユニットであって、さらに、連続する第１サイクルと第２サイクルでそれぞれ同一の画像を表示する際に、前記第１サイクルにおける各行の点灯順と、前記第２サイクルにおける各行の点灯順とを、最初に点灯する行が異なるように制御する点灯制御部２を備え、前記点灯制御部２が、所定の行の点灯と次に行われる他の行の点灯との間に、前記走査部２０が一以上の共通ラインＣの走査を行う一方で、前記駆動部３０が前記発光素子１の導通を行わない非点灯期間を設けることができる。これにより、サイクル間で点灯する行の点灯順を異ならせることで、駆動ラインの寄生容量に起因して点灯量が少なくなる行を分散させて、特定の行が暗くなる暗ラインの発生を抑制できる。
【００２７】
また、共通ライン側の走査を変更することなく、駆動ラインを導通する動作を時間的に離間させることで、駆動ラインが導通されずに点灯されない状態が連続する非点灯期間を短縮でき、暗ラインの発生を抑制できる。
【００２８】
さらにまた、第１５の側面に係る表示ユニットによれば、前記点灯制御部２が、各フレームにおいて前記走査部２０が前記共通ラインＣを走査する順序を、連続するサイクル間で異ならせることができる。これにより、駆動ライン側の導通タイミングを変更することなく、共通ラインの走査順をサイクル間で変更することにより、駆動ラインの寄生容量に起因して点灯量が少なくなる発光素子を分散させて、特定の行のみが暗くなる現象を目立たないようにできる。
【図面の簡単な説明】
【００２９】
【図１】実施形態１に係る表示ユニットを示すブロック図である。
【図２】実施形態１に係る点灯制御方法を示すタイミングチャートである。
【図３】図３（ａ）〜（ｊ）は、図２に示す区間１１〜２３において流れる表示ユニットの電流を示す回路図である。
【図４】実施形態２に係る点灯制御方法を示すタイミングチャートである。
【図５】実施形態３に係る点灯制御方法を示すタイミングチャートである。
【図６】実施形態４に係る点灯制御方法を示すタイミングチャートである。
【図７】実施形態５に係る表示装置を説明するためのブロック図である。
【図８】実施形態６に係る表示装置に用いられる表示ユニットを説明するためのブロック図である。
【図９】実施例１に係る表示ユニットのタイミングチャートである。
【図１０】図１０（ａ）は、表示ユニットの模式平面図、図１０（ｂ）は図１０（ａ）の表示ユニットにおいて一部の行が暗く点灯された状態を示す模式平面図である。
【図１１】図１０の表示ユニットを点灯させる従来のタイミングチャートである。
【図１２】図１２（ａ）〜（ｈ）は、図１１に示す区間１１〜２３において流れる表示ユニットの電流を示す回路図である。
【発明を実施するための形態】
【００３０】
以下、本発明の実施の形態を図面に基づいて説明する。ただし、以下に示す実施の形態は、本発明の技術思想を具体化するためのものであって、本発明を以下のものに特定しない。また、本明細書においては、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施の形態の部材に特定するものでは決してない。特に実施の形態に記載されている構成部材の寸法、材質、形状、その相対的配置等は、特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、他の実施例、実施形態等に利用可能なものもある。
【００３１】
なお本明細書において「寄生容量」とは、主に駆動ラインＳにおける寄生容量を意味している。ただ、これに限らず他の要因、例えば駆動ラインに接続された電子部品の容量など、容量性の成分も含める意図で使用する。
（実施形態１）
【００３２】
実施形態１に係る表示ユニット１００のブロック図を図１に、これを点灯するタイミングを示すタイミングチャートを図２に、それぞれ示す。また図２の各区間における、表示ユニットに流れる電流を、図３（ａ）〜（ｊ）の回路図において矢印で示す。
（表示部）
【００３３】
表示ユニット１００は、図１に示すように表示部１０と、点灯制御部２を備える。表示部１０は、行列配置された複数の発光素子１と、行方向における複数の発光素子１のアノード端子に接続された複数の共通ラインＣ０〜Ｃ２と、列方向における複数の発光素子１のカソード端子に接続された複数の駆動ラインＳ０〜Ｓ２とを備える。
（点灯制御部２）
【００３４】
また点灯制御部２は、１画像を表示するための１サイクルを複数のフレームに分割するフレーム分割部４０と、共通ラインＣに接続され各フレームにおいて共通ラインＣを走査すると共に、共通ラインＣに電圧を印加する走査部２０と、駆動ラインＳに接続され外部から入力される制御データに基づいて１つのサイクルのうちの一部のフレームで発光素子１を駆動可能な駆動部３０と、走査部２０に接続され１サイクルを構成する各フレームの共通ラインの走査順と他サイクルを構成する各フレームの共通ラインの走査順とが異なるように制御する走査順制御部５０とを備える。
【００３５】
この点灯制御部２は、図２のような点灯タイミングでもって表示部１０を制御する点灯制御方法を採用することで、図１０（ｂ）に示すように従来発生していた表示部１０が部分的に暗く点灯する暗ラインが発生する現象を回避し、図１０（ａ）のような均一で高品質な点灯を可能とする。以下、その理由について説明する。
【００３６】
従来の点灯制御方法では、図１１に示すとおり、各サイクルにおける共通ラインＣの走査順を昇順としており、各サイクルにおいて最初に点灯する発光素子１は、寄生容量に起因して他の発光素子１に比べてライン状に暗くなってしまう現象が生じる。図１１では、暗ラインとなる共通ラインＣがＯＮとなるタイミングをハッチングで示している。暗ラインは、動画や高輝度表示では目立たないが、低輝度で静止画を表示した場合に特に目立ってしまい、表示品質を大きく損なってしまう。そこで本実施形態では、サイクル間で走査順を異ならせることによって、つまりサイクル間で暗ラインの発生位置を動かすことによって、特定行に暗ラインが目立つことを抑制している。
【００３７】
具体的には、実施形態１の表示ユニット１００では、図２に示すように、暗ラインがサイクル４ではフレーム１のＣ０、サイクル５ではフレーム１のＣ１、サイクル６ではフレーム１のＣ２に現れるように、走査順制御部５０で制御している。このような点灯制御方法を採用することで、３サイクルで暗ラインがそれぞれの共通ラインＣに１回ずつ生じることになるので、従来の図１０（ｂ）のように暗ラインが最初の行に集中せず、サイクル毎に異ならせることで輝度の相違が分散される結果、人間の見た目においては特定ラインに暗ラインが集中することを回避し、全体としてより均一な表示とすることができる。ここでは、３サイクルで走査順を一巡させているので、図２では一例としてサイクルＣＬ４〜ＣＬ６について説明している。
【００３８】
表示ユニット１００は、上述の通り３行×３列で行列配置された計９つの発光素子１と、行方向における３つの発光素子１のアノード端子にそれぞれ接続された３つの共通ラインＣ０〜Ｃ２と、列方向における３つの発光素子１のカソード端子にそれぞれ接続された３つの駆動ラインＳ０〜Ｓ２とを備える。この表示部を点灯させるために、図２に示す点灯制御方法では、サイクルＣＬ４〜ＣＬ６をそれぞれ複数のフレーム（ＦＭ１、ＦＭ２、．．．）に分割する。ここでは、理解を容易にするため、各サイクルにおいてＦＭ１のみで全発光素子を最小輝度（最小階調）で点灯し、他のフレームにおいては全発光素子を消灯する場合を想定する。つまり、各サイクルにおいてすべての発光素子を最小輝度で点灯させていることになる。なお図２においては、作図の都合上、各サイクルのフレームＦＭ１における区間１１、１２及び１３において、駆動ラインＳ０、Ｓ１及びＳ２に接続された発光素子１が最大輝度（最大階調）で点灯しているように見えるが、実際は最小輝度（最小階調）で点灯しているものとする。
【００３９】
まず、サイクルＣＬ４について説明する。サイクルＣＬ４では、各フレームの共通ラインＣの走査順を、共通ラインＣ０、Ｃ１、Ｃ２としている。すなわち、共通ラインの接続順であり、このサイクルにおいては図１１に示した従来の点灯制御方法と同様となる。具体的に、図２に示すフレームＦＭ１における区間１１では、図３（ｈ）に示すように、走査部２０により共通ラインＣ０に電圧が印加されると共に、駆動ラインＳ０〜Ｓ２を介して駆動部３０により所定の電流が引き込まれる。このとき、図１１の例で説明したように、サイクルＣＬ４で最初に選択される共通ラインＣ０に接続された発光素子１は、先のサイクルＣＬ３（図示せず）で充電された寄生容量に起因して、所望よりも低輝度で発光してしまう。この様子を示すため、図３（ｈ）においては発光素子１が所望の輝度よりも低輝度で発光する状態を、発光素子１のハッチングで表示している（他の図においても同様とする）。さらに、図３（ａ）〜（ｊ）では電流の流れを矢印で示している。加えて、図３（ａ）〜（ｊ）では各配線が持つ寄生容量を仮想的に等価コンデンサＣS0〜ＣS2として、各駆動ラインＳ上に図示している。
【００４０】
次に、区間１２では、走査部２０により共通ラインＣ１に電圧が印加されると共に、駆動ラインＳ０〜Ｓ２を介して駆動部３０により所定の電流が引き込まれる。このとき、先のフレームＦＭ１で寄生容量は既に引き抜かれているので、図３（ｂ）に示すように共通ラインＣ１に接続された３つの発光素子１は所望の輝度で点灯することができる。同様に、区間１３でも、図３（ｃ）に示すように、共通ラインＣ２に接続された３つの発光素子１は所望の輝度で点灯することができる。次に、フレームＦＭ２における区間２１では、図３（ｄ）に示すように、共通ラインＣ０に電圧が印加されるが、駆動部３０が電流を引き込まないため、各配線（Ｓ０、Ｓ１及びＳ２）には寄生容量が充電される。また区間２２でも、図３（ｅ）に示すように、共通ラインＣ１に電圧が印加されるが、駆動部３０が電流を引き込まないため、各配線には寄生容量が充電される。同様に、区間２３でも、図３（ｆ）に示すように、共通ラインＣ２に電圧が印加されるが、各配線に寄生容量が充電される。このようにして、各配線はいずれは寄生容量が完全に充電され、図３（ｇ）に示すように、それ以上充電されなくなる。
【００４１】
次に、サイクルＣＬ５について説明する。サイクルＣＬ５では、上述したサイクルＣＬ４と異なり、各フレームの共通ラインＣの走査順を、Ｃ１、Ｃ２、Ｃ０の順としている。まず、フレームＦＭ１における区間１１では、走査部２０により共通ラインＣ１に電圧が印加されると共に、駆動ラインＳ０〜Ｓ２を介して駆動部３０により所定の電流が引き込まれるので、共通ラインＣ１に接続された３つの発光素子１が点灯する。このとき、サイクルＣＬ５で最初に選択される共通ラインＣ１に接続された発光素子１は、図３（ｉ）に示すように、サイクルＣＬ４で充電された寄生容量に起因して、所望よりも低輝度で発光してしまう。次に、区間１２では、走査部２０により共通ラインＣ２に電圧が印加されると共に、駆動ラインＳ０〜Ｓ２を介して駆動部３０により所定の電流が引き込まれる。このとき、区間１１で寄生容量は既に引き抜かれているので、図３（ｃ）に示すように共通ラインＣ２に接続された３つの発光素子１は所望の輝度で点灯することができる。同様に、区間１３でも、図３（ａ）に示すようにＣ０に接続された３つの発光素子１は所望の輝度で点灯することができる。そして、区間２１以降において各配線の寄生容量が充電される。
【００４２】
次に、サイクルＣＬ６について説明する。サイクルＣＬ６では、各フレームの共通ラインＣの走査順を、Ｃ２、Ｃ０、Ｃ１としている。まず、フレームＦＭ１における区間１１では、走査部２０により共通ラインＣ２に電圧が印加されると共に、駆動ラインＳ０〜Ｓ２を介して駆動部３０により所定の電流が引き込まれるので、Ｃ２に接続された３つの発光素子１が点灯する。このとき、最初に選択される共通ラインＣ２に接続された発光素子１は、図３（ｊ）に示すように、寄生容量に起因して所望よりも低輝度で発光してしまう。次に、区間１２では、走査部２０により共通ラインＣ０に電圧が印加されると共に、駆動ラインＳ０〜Ｓ２を介して駆動部３０により所定の電流が引き込まれる。このとき、区間１１で寄生容量は既に引き抜かれているので、図３（ａ）に示すように、共通ラインＣ０に接続された３つの発光素子１を所望の輝度で点灯させることができる。同様に、区間１３でも、図３（ｂ）に示すようにＣ１に接続された３つの発光素子１は所望の輝度で点灯することができる。そして、区間２１以降において各配線の寄生容量が充電される。サイクルＣＬ７以降については、サイクルＣＬ４〜ＣＬ６と同様であるので説明を省略する。
【００４３】
以上のように、各フレームにおいて走査部が共通ラインＣを走査する順序を、連続するサイクル間で異ならせることで、駆動ライン側の導通タイミングを変更することなく、共通ラインの走査順をサイクル間で変更することにより、暗ラインの発生する行を分散させて、これを目立たないようにできる。この結果、たとえ低輝度で静止画を表示した場合であっても、暗ラインによる発光むらのない高品質な表示ユニットを実現できる。特に連続するサイクルで表示される画像を同一とする静止画の表示において、特定の行のみが暗くなると非常に目立つ。そこで、暗ラインが目立ちやすい静止画の表示であっても、上記の制御方法によって暗ラインを特定行に固定させず、これを目立たなくすることができる。
（実施形態２）
【００４４】
以上の例では、走査部２０が共通ラインＣを一通り走査するサイクル単位で、最初に点灯する行を異ならせることにより、暗ラインが出現する行をサイクル単位で変化させる方法を説明した。この方法は、第１サイクルで、表示部１０の各行を点灯する第一の点灯順と、第１サイクルに続く第２サイクルで、第一の点灯順と最初に点灯する行を異ならせた第二の点灯順にて表示部１０の各行を点灯している。ただ、本発明はこの方法に限らず、一サイクルにおいて、一フレームで一部の行を点灯させつつ、同一サイクルの同一フレーム又は以降のフレームで他の一部又は全部の行を点灯するように構成してもよい。このようにすることでも、最初に点灯させる行をサイクル毎に異ならせることができ、同様の暗ラインを抑制することができる。
【００４５】
この一例として、共通ラインの走査順を一定に維持したまま、駆動ライン側のタイミングを制御する例を、実施形態２として、図４のタイミングチャートに基づいて説明する。ここでは、走査部による共通ラインＣ０〜Ｃ２の制御方法は、図１１などに示す方法と同一であり、駆動部による駆動ラインの導通タイミングをずらし、フレーム間を跨ぐような制御を付加している。図４に示す点灯制御方法では、サイクルＣＬ７〜ＣＬ９をそれぞれ複数のフレームＦＭ１〜ＦＭ３に分割し、さらに各フレームを、走査部及び駆動部によるＯＮ／ＯＦＦ動作の最小タイミングとして、３つの区間に分割している。
【００４６】
サイクルＣＬ７の動作については、図２と同様である。すなわち、各フレームの共通ラインＣの走査順を、共通ラインＣ０、Ｃ１、Ｃ２の接続順としている。この結果、フレームＦＭ１における区間１１では、図３（ｈ）に示すように、走査部２０により共通ラインＣ０に電圧が印加されると共に、駆動ラインＳ０〜Ｓ２を介して駆動部３０により所定の電流が引き込まれる。このとき、共通ラインＣ０に接続された発光素子１は、先のサイクルＣＬ６（図示せず）で充電された寄生容量に起因して、所望よりも低輝度で発光する。すなわち、サイクルＣＬ７における暗ラインは共通ラインＣ０において発生する。次に区間１２では、走査部２０により共通ラインＣ１に電圧が印加されると共に、駆動ラインＳ０〜Ｓ２を介して駆動部３０により所定の電流が引き込まれ、図３（ｂ）に示すように共通ラインＣ１に接続された３つの発光素子１は所望の輝度で点灯される。同様に区間１３でも、図３（ｃ）に示すように、共通ラインＣ２に接続された３つの発光素子１は所望の輝度で点灯される。次に、フレームＦＭ２における区間２１では、図３（ｄ）に示すように、共通ラインＣ０に電圧が印加されるが、駆動部３０が電流を引き込まないため、各配線（Ｓ０、Ｓ１及びＳ２）には寄生容量が充電される。また区間２２でも、図３（ｅ）に示すように、共通ラインＣ１に電圧が印加されるが、駆動部３０が電流を引き込まないため、各配線には寄生容量が充電される。同様に、区間２３でも、図３（ｆ）に示すように、共通ラインＣ２に電圧が印加されるが、各配線に寄生容量が充電される。このようにして、各配線はいずれは寄生容量が完全に充電され、図３（ｇ）に示すように、それ以上充電されなくなる。
【００４７】
次に、サイクルＣＬ８について説明する。このサイクルＣＬ８でも、サイクルＣＬ７と同様、各フレームの共通ラインＣの走査順は接続順のままで一定となる。ただし、駆動ラインの導通タイミングは、サイクルＣＬ７では同一フレーム内のみで完結していたのに対し、連続する２つのフレームに跨がるように配置されている。
【００４８】
まず、フレームＦＭ１における区間１１では、図３（ｄ）に示すように、共通ラインＣ０に電圧が印加されるが、駆動部３０が電流を引き込まないため、各配線（Ｓ０、Ｓ１及びＳ２）には寄生容量が充電される。
【００４９】
次に区間１２では、図３（ｉ）に示すように、走査部２０により共通ラインＣ１に電圧が印加されると共に、駆動ラインＳ０〜Ｓ２を介して駆動部３０により所定の電流が引き込まれるので、共通ラインＣ１に接続された３つの発光素子１が点灯する。このとき、サイクルＣＬ８で最初に点灯される共通ラインＣ１に接続された発光素子１は、サイクルＣＬ７やＣＬ８の区間１１で充電された寄生容量に起因して、所望よりも低輝度で発光されることになる。すなわち、サイクルＣＬ８における暗ラインは共通ラインＣ１において発生する。
【００５０】
さらに区間１３では、走査部２０により共通ラインＣ２に電圧が印加されると共に、駆動ラインＳ０〜Ｓ２を介して駆動部３０により所定の電流が引き込まれる。このとき、区間１２で寄生容量は既に引き抜かれているので、図３（ｃ）に示すように共通ラインＣ２に接続された３つの発光素子１は所望の輝度で点灯される。
【００５１】
同様に、フレームＦＭ２の区間２１でも、図３（ａ）に示すようにＣ０に接続された３つの発光素子１は所望の輝度で点灯することができる。その後、区間２２以降において各配線の寄生容量が充電される。
【００５２】
さらにサイクルＣＬ９について説明する。このサイクルＣＬ９でも、サイクルＣＬ７、ＣＬ８と同様、各フレームの共通ラインＣの走査順は接続順のままで一定となる。そして駆動ラインの導通タイミングは、サイクルＣＬ８と同様、連続する２つのフレームに跨がるように配置されている。ただしサイクルＣＬ８ではフレームＦＭ１に２区間、フレームＦＭ２に１区間であったものが、サイクルＣＬ９ではフレームＦＭ１に１区間、フレームＦＭ２に２区間となっている。
【００５３】
まず、フレームＦＭ１における区間１１では、図３（ｄ）に示すように、共通ラインＣ０に電圧が印加されるが、駆動部３０が電流を引き込まないため、各配線（Ｓ０、Ｓ１及びＳ２）には寄生容量が充電される。続く区間１２でも、図３（ｅ）に示すように、共通ラインＣ１に電圧が印加されるが、駆動部３０が電流を引き込まないため、各配線（Ｓ０、Ｓ１及びＳ２）には寄生容量が充電される。
【００５４】
次に区間１３では、図３（ｊ）に示すように、走査部２０により共通ラインＣ２に電圧が印加されると共に、駆動ラインＳ０〜Ｓ２を介して駆動部３０により所定の電流が引き込まれるので、共通ラインＣ２に接続された３つの発光素子１が点灯しようとする。このとき、サイクルＣＬ９で最初に点灯される共通ラインＣ２に接続された発光素子１は、それ以前の区間で寄生容量成分が充電されているため、この寄生容量成分が放電される分だけ、本来の電流よりも低輝度で発光されることになる。すなわち、サイクルＣＬ９における暗ラインは共通ラインＣ２において発生する。
【００５５】
続いて、フレームＦＭ２の区間２１では、図３（ａ）に示すようにＣ０に接続された３つの発光素子１を所望の輝度で点灯させることができる。続く区間２２においても、図３（ｂ）に示すようにＣ１に接続された３つの発光素子１は所望の輝度で点灯される。そして区間２３においては、図３（ｆ）に示すように駆動ラインの導通が停止され、各配線の寄生容量が充電される。以降に続くフレームＦＭ３でも、同様に駆動ラインの導通が停止され、各配線の寄生容量が充電される。
【００５６】
以上のように、図４の点灯制御方法では、駆動ラインを導通させる導通タイミング期間が、サイクルＣＬ７ではフレームＦＭ１、サイクルＣＬ８ではフレームＦＭ１（区間１２と１３）とフレームＦＭ２（区間２１のみ）、サイクルＣＬ９ではフレームＦＭ１（区間１３のみ）とフレームＦＭ２（区間２１と２２）となっている。このように隣接するフレーム同士の間を跨がせるように導通タイミング期間を配置することで、暗ラインを共通ラインＣ０、Ｃ１、Ｃ２の順に、サイクル毎に変化させることができるため、電流量の平均値は同じとなって輝度を均一化でき、実施形態１と同様の効果を得ることができる。
【００５７】
なお図４の例では、非点灯期間を７区間として、一定としている。７区間は、２フレーム分（６区間）よりも１区間多い。このように非点灯期間を、フレームの倍数としないようにずらすことで、非点灯期間を一定としつつも駆動ラインの導通タイミング期間がフレームを跨ぐように設定できる。なお、非点灯期間を一定とせず、可変とすることでも、導通タイミング期間がフレームを跨ぐように設定できることはいうまでもない。
（実施形態３）
【００５８】
上述した実施形態２では、駆動ラインを導通させる導通タイミングをフレームにしたがって連続させ、駆動ラインが導通するフレームが連続するように駆動部を制御している。ただ、駆動ラインの制御はこのように駆動ラインが導通するフレームを連続させる必要は必ずしも無く、これを離間させてもよい。このような制御方法の一例を、実施形態３として図５に示す。この図に示す点灯制御方法では、ある行の点灯と次の行の点灯との間に、共通ラインの走査を行う一方で、その後には駆動ラインの導通を行わない非点灯期間を設けている。すなわち、上述した実施形態１や２のように駆動ラインの導通を連続させた導通タイミング期間を設けず、導通ラインの導通タイミングを一区間限りとして、離散的に配置し、各導通タイミングの間に点灯を休止させる非点灯区間を設けている。これにより、走査部による共通ライン側の走査制御を変更することなく、駆動ラインを導通させる動作を時間的に離間させることで、暗ラインを抑制できる。特に、この方法では、駆動ラインが導通されずに点灯されない状態が連続する非点灯期間を短縮できるため、寄生容量への充電時間が短くなり、その分、輝度の低下を抑制できる利点が得られる。
【００５９】
以下、図５に基づいて、実施形態３の点灯制御方法を説明する。ここでも、走査部による共通ラインＣ０〜Ｃ２の制御方法は、図１１などに示す方法と同じく、共通ラインＣ０、Ｃ１、Ｃ２の接続順とし、一方の駆動部による駆動ラインのタイミングを制御することで暗ラインを抑制している。図５に示す点灯制御方法では、サイクルＣＬ１０〜ＣＬ１２をそれぞれ複数のフレームＦＭ１〜ＦＭ３に分割し、さらに各フレームを、走査部及び駆動部によるＯＮ／ＯＦＦ動作の最小タイミングとして、３つの区間に分割している。
【００６０】
まずサイクルＣＬ１０の制御においては、駆動ラインの導通タイミングを、フレームＦＭ１では区間１１、フレームＦＭ２では区間２２、フレームＦＭ３では区間３３としている。すなわち、導通ラインの導通タイミングを、各フレームに分散させ、フレーム毎に１区間設定している。具体的には、フレームＦＭ１の区間１１では、図３（ｈ）に示すように、走査部２０により共通ラインＣ０に電圧が印加されると共に、駆動ラインＳ０〜Ｓ２を介して駆動部３０により所定の電流が引き込まれる。このとき、共通ラインＣ０に接続された発光素子１は、先のサイクルＣＬ９（図示せず）で充電された寄生容量に起因して、所望よりも低輝度で発光する。すなわち、サイクルＣＬ１０における１度目の暗ラインは、まず区間１１で共通ラインＣ０において発生する。次に区間１２では、図３（ｅ）に示すように、走査部２０により共通ラインＣ１に電圧が印加されるが、駆動部３０が電流を引き込まないため、各配線（Ｓ０、Ｓ１及びＳ２）には寄生容量が充電される。また区間１３でも、図３（ｆ）に示すように、共通ラインＣ２に電圧が印加されるが、駆動部３０が電流を引き込まないため、各配線には寄生容量が充電される。
【００６１】
次にフレームＦＭ２の区間２１でも、図３（ｄ）に示すように、共通ラインＣ０に電圧が印加されるが、各配線に寄生容量が充電される。続く区間２２においては、図３（ｉ）に示すように、走査部２０により共通ラインＣ１に電圧が印加されると共に、駆動ラインＳ０〜Ｓ２を介して駆動部３０により所定の電流が引き込まれるので、共通ラインＣ１に接続された３つの発光素子１が点灯する。このとき、共通ラインＣ１に接続された発光素子１は、区間１２、１３、２１で充電された寄生容量に起因して、所望よりも低輝度で発光されることになる。すなわち、サイクルＣＬ１０における２度目の暗ラインが、共通ラインＣ１において発生する。さらに区間２３において、図３（ｆ）に示すように、共通ラインＣ２に電圧が印加されるが、駆動部３０が電流を引き込まないため、各配線には寄生容量が充電される。
【００６２】
同様に、フレームＦＭ３の区間３１でも、図３（ｄ）に示すように、共通ラインＣ０に電圧が印加されるが、駆動部３０が電流を引き込まないため、各配線（Ｓ０、Ｓ１及びＳ２）には寄生容量が充電される。また区間３２でも、図３（ｅ）に示すように、共通ラインＣ１に電圧が印加されるが、駆動部３０が電流を引き込まないため、各配線には寄生容量が充電される。次に区間３３においては、図３（ｊ）に示すように、走査部２０により共通ラインＣ２に電圧が印加されると共に、駆動ラインＳ０〜Ｓ２を介して駆動部３０により所定の電流が引き込まれるので、共通ラインＣ２に接続された３つの発光素子１が点灯する。このとき、共通ラインＣ２に接続された発光素子１は、それ以前の区間で寄生容量成分が充電されているため、この寄生容量成分が放電される分だけ、本来の電流よりも低輝度で発光されることになる。すなわち、サイクルＣＬ１０における３度目の暗ラインは共通ラインＣ２において発生する。
【００６３】
このように、サイクルＣＬ１０においては、各フレーム毎に暗ラインが発生している。また、点灯されるライン自体がすべて暗ラインとなっている。ただ、非点灯期間が３区間分と実施形態１や２に比べて短い分だけ、寄生容量成分への充電時間が短くなり、蓄えられる電荷量も小さくなる結果、暗ライン発生時に奪われる電流量も小さくなる。いいかえると、サイクルＣＬ１０における暗ラインは、実施形態１、２に比べて、輝度の低下が少ないということができる。
【００６４】
次に、サイクルＣＬ１１について説明する。まず、フレームＦＭ１における区間１１では、図３（ｄ）に示すように、共通ラインＣ０に電圧が印加されるが、駆動部３０が電流を引き込まないため、各配線（Ｓ０、Ｓ１及びＳ２）には寄生容量が充電される。次に区間１２では、図３（ｉ）に示すように、走査部２０により共通ラインＣ１に電圧が印加されると共に、駆動ラインＳ０〜Ｓ２を介して駆動部３０により所定の電流が引き込まれるので、共通ラインＣ１に接続された３つの発光素子１が点灯する。このとき、共通ラインＣ１に接続された発光素子１は、寄生容量に起因して、所望よりも低輝度で発光されることになる。続く区間１３では、図３（ｆ）に示すように、共通ラインＣ２に電圧が印加され、各配線に寄生容量が充電される。
【００６５】
次にフレームＦＭ２における区間２１では、図３（ｈ）に示すように、走査部２０により共通ラインＣ０に電圧が印加されると共に、駆動ラインＳ０〜Ｓ２を介して駆動部３０により所定の電流が引き込まれる。このとき、共通ラインＣ０に接続された発光素子１は、寄生容量に起因して、所望よりも低輝度で発光する。次に区間２２では、図３（ｅ）に示すように、走査部２０により共通ラインＣ１に電圧が印加されるが、駆動部３０が電流を引き込まないため、各配線（Ｓ０、Ｓ１及びＳ２）には寄生容量が充電される。続く区間２３では、図３（ｊ）に示すように、走査部２０により共通ラインＣ２に電圧が印加されると共に、駆動ラインＳ０〜Ｓ２を介して駆動部３０により所定の電流が引き込まれるので、共通ラインＣ２に接続された３つの発光素子１が点灯する。このとき、共通ラインＣ２に接続された発光素子１は、寄生容量成分が放電される分だけ低輝度で発光されることになる。
【００６６】
続くフレームＦＭ３においては、駆動ラインが通電されず、区間３１において図３（ｄ）、区間３２において図３（ｅ）、区間３３において図３（ｆ）に示すように、各配線に寄生容量成分が充電される。このように、サイクルＣＬ１１における３度の点灯はすべて暗ラインとなり、またフレームＦＭ１で１区間、フレームＦＭ２で２区間、発生している。またここでは非点灯期間が最小の１区間となっているため、電流量の減少も最小限に抑えられ、実施形態１、２に比べて輝度の低下も殆ど生じない。
【００６７】
最後にサイクルＣＬ１２について説明する。このサイクルＣＬ１２でも、サイクルＣＬ１０、ＣＬ１１と同様、各フレームの共通ラインＣの走査順は接続順のままで一定となる。まず、フレームＦＭ１における区間１１では、図３（ｄ）に示すように、共通ラインＣ０に電圧が印加されるが、駆動部３０が電流を引き込まないため、各配線（Ｓ０、Ｓ１及びＳ２）には寄生容量が充電される。また区間１２においても同様に、図３（ｅ）に示すように、共通ラインＣ１に電圧が印加されるが、駆動部３０が電流を引き込まないため、各配線には寄生容量が充電される。続く区間１３においては、図３（ｊ）に示すように、走査部２０により共通ラインＣ２に電圧が印加されると共に、駆動ラインＳ０〜Ｓ２を介して駆動部３０により所定の電流が引き込まれるので、共通ラインＣ２に接続された３つの発光素子１が点灯する。このとき、共通ラインＣ２に接続された発光素子１は、寄生容量成分が放電される分だけ低輝度で発光されることになる。
【００６８】
さらにフレームＦＭ２における区間２１では、図３（ｄ）に示すように、共通ラインＣ０に電圧が印加されるが、駆動部３０が電流を引き込まないため、各配線（Ｓ０、Ｓ１及びＳ２）には寄生容量が充電される。続く区間２２では、図３（ｉ）に示すように、走査部２０により共通ラインＣ１に電圧が印加されると共に、駆動ラインＳ０〜Ｓ２を介して駆動部３０により所定の電流が引き込まれるので、共通ラインＣ１に接続された３つの発光素子１が点灯する。このとき、共通ラインＣ１に接続された発光素子１は、寄生容量成分が放電される分だけ低輝度で発光されることになる。また区間２３では、図３（ｆ）に示すように、共通ラインＣ２に電圧が印加され、各配線に寄生容量が充電される。
【００６９】
最後にフレームＦＭ３における区間３１では、図３（ｈ）に示すように、走査部２０により共通ラインＣ０に電圧が印加されると共に、駆動ラインＳ０〜Ｓ２を介して駆動部３０により所定の電流が引き込まれる。このとき、共通ラインＣ０に接続された発光素子１は、寄生容量に起因して、所望よりも低輝度で発光する。また区間３２では、図３（ｅ）に示すように、共通ラインＣ１に電圧が印加されるが、駆動部３０が電流を引き込まないため、各配線には寄生容量が充電される。同様に、区間３３でも、図３（ｆ）に示すように、共通ラインＣ２に電圧が印加され、各配線に寄生容量が充電される。
【００７０】
このように実施の形態３によれば、導通タイミング期間を短くする分、導通タイミング期間を多く設けることが可能となり、その分、非点灯期間すなわち寄生容量成分への充電時間を短くでき、この結果、寄生容量成分に溜まる電荷も少なくなって、発光素子の通電量の低下を抑制できるという利点が得られる。ただし、この方法では各サイクルにおける非点灯期間が異なるため、各暗ラインの輝度が一致しない。また、図５の例では、サイクルＣＬ１０〜ＣＬ１２で点灯パターンを変化させているが、これに限らず、例えばサイクルＣＬ１０のみを繰り返すこともできる。
（実施形態４）
【００７１】
以上の例では、共通ラインの走査順及び駆動ラインの導通タイミングのいずれか一方を変更することで、暗ラインの位置を異なるフレームで異なる位置となるように分散させ、表示部において特定の暗ラインが強調されないような点灯を実現している。ただ、本発明はこの方法に限られず、共通ラインの走査と駆動ラインの導通タイミングの両方を変化させる方法としてもよい。このような制御方法の一例を、実施形態４として図６に示す。この図に示す点灯制御方法は、各サイクルを通じて非点灯期間を一致させているため、各暗ラインの輝度を一致させることができる。すなわち、すべての発光ラインの輝度を一定に揃えることができるため、発光輝度の低い暗ラインの発生を阻止することができる。以下、具体的な点灯制御方法を、図６に基づいて説明する。ここでは、各サイクルの各フレームにおいて、最初の区間で点灯させることにより、非点灯期間を２区間としている。また、最初の区間のみ駆動ラインを導通させて、他の区間を非点灯とするよう、駆動部により駆動タイミングを制御している。一方で共通ラインは、各サイクルにおいて、フレーム毎に走査順を変更し、各フレームの最初の区間が、同一サイクル内の他のフレームと異なるように、走査部を制御している。これによって、各フレームの最初の区間のみを点灯させつつ、該点灯される共通ラインを同一サイクル内で異ならせることが可能となる。
【００７２】
まずサイクルＣＬ１３の制御においては、フレームＦＭ１の区間１１では、図３（ｈ）に示すように、走査部２０により共通ラインＣ０に電圧が印加されると共に、駆動ラインＳ０〜Ｓ２を介して駆動部３０により所定の電流が引き込まれる。このとき、共通ラインＣ０に接続された発光素子１は、先のサイクルＣＬ１２（図示せず）で充電された寄生容量に応じて低輝度で発光される。次に区間１２では、図３（ｅ）に示すように、走査部２０により共通ラインＣ１に電圧が印加されるが、駆動部３０が電流を引き込まないため、各配線（Ｓ０、Ｓ１及びＳ２）には寄生容量が充電される。また区間１３でも、図３（ｆ）に示すように、共通ラインＣ２に電圧が印加されるが、駆動部３０が電流を引き込まないため、各配線には寄生容量が充電される。
【００７３】
次にフレームＦＭ２の区間２１では、図３（ｉ）に示すように、走査部２０により共通ラインＣ１に電圧が印加されると共に、駆動ラインＳ０〜Ｓ２を介して駆動部３０により所定の電流が引き込まれるので、共通ラインＣ１に接続された３つの発光素子１が点灯する。このとき、共通ラインＣ１に接続された発光素子１は、寄生容量に応じて低輝度で発光される。次に区間２２では、図３（ｆ）に示すように、共通ラインＣ２に電圧が印加されるが、駆動部３０が電流を引き込まないため、各配線には寄生容量が充電される。また区間２３では、図３（ｄ）に示すように、共通ラインＣ０に電圧が印加され、各配線に寄生容量が充電される。
【００７４】
またフレームＦＭ３の区間３１では、図３（ｊ）に示すように、走査部２０により共通ラインＣ２に電圧が印加されると共に、駆動ラインＳ０〜Ｓ２を介して駆動部３０により所定の電流が引き込まれるので、共通ラインＣ２に接続された３つの発光素子１が点灯する。このとき、共通ラインＣ２に接続された発光素子１は、寄生容量に応じて低輝度で発光される。次に区間３２では、図３（ｄ）に示すように、共通ラインＣ０に電圧が印加されるが、駆動部３０が電流を引き込まないため、各配線には寄生容量が充電される。また区間３３では、図３（ｅ）に示すように、共通ラインＣ１に電圧が印加され、各配線に寄生容量が充電される。また、続くサイクルＣＬ１４及びサイクルＣＬ１５においても、同様の手順を繰り返すことで、サイクル間においても非点灯期間を一致させることができる。
【００７５】
このようにして、各フレームの最初の区間で点灯させ、非点灯区間を一定として、発光輝度を一致させることができる。すなわち非点灯期間を一定の２区間とすることで、駆動ラインＳ０〜Ｓ２の寄生容量に電荷が蓄えられる充電時間が一定となるので、すべての行で発光素子の発光量を一致させることができ、暗ラインを無くすことが可能となる。また共通ラインの走査順及び駆動ラインの導通タイミングを、各サイクルで同じとして繰り返すことにより、走査部、駆動部によるこれらの制御を容易にできる。
【００７６】
なお以上の例では、一サイクルを３フレームとし、一フレームを３区間としているが、これらは一例であって、任意の数のフレーム、区間に分割できることはいうまでもない。
（表示部１０）
【００７７】
以上の実施形態１〜４の点灯制御方法で点灯される表示装置１００を構成する主な構成要素について説明する。まず表示部１０は、行方向に複数の共通ラインＣを互いに平行に配置し、これと交差する列方向に複数の駆動ラインＳを互いに平行に配置している。また複数の発光素子１を、各共通ラインＣと駆動ラインＳとの間に各々接続することで、発光素子１を行列配置している。図１においては、共通ラインＣが行、駆動ラインＳが列に、それぞれ対応しており、複数の発光素子１がｍ行×ｎ列のマトリックス状に配列される。また各列の発光素子１のカソード端子がそれぞれ駆動ラインＳに接続され、各行の発光素子１のアノード端子がそれぞれ共通ラインＣに接続されている。
【００７８】
ここでは、表示部１０として発光素子１を３行×３列のマトリックス状に配置しているが、行及び列の数は任意に設定できることは言うまでもない。また、本明細書では説明の便宜上、図１の横方向を「行」とし、図１の縦方向を「列」としているが、「行」は必ずしも水平方向を指すのではなく、「列」は必ずしも鉛直方向を指すのではない。つまり、「行」及び「列」は相対的な関係にあればよく、例えば図１の行と列（縦横）を入れ替えても、つまり図１において表示ユニット１００を左右のどちらかの方向に９０°回転させても、本発明の範囲内とする。
（発光素子１）
【００７９】
発光素子１には、半導体発光素子であれば限定されないが、典型的には発光ダイオード（ＬＥＤ）を用いることができる。この例では、発光素子１としてＬＥＤを用いる例を説明している。
（走査部２０）
【００８０】
走査部２０は、共通ラインＣに接続されており、任意の共通ラインＣを走査し、選択した共通ラインＣに順次電圧（例えば５Ｖ）を印加する。走査部２０は共通ラインＣごとにスイッチ（図示せず）を備え、走査順制御部５０からの指示に基づいて各共通ラインＣのＯＮ／ＯＦＦを制御する。
（駆動部３０）
【００８１】
駆動部３０は、駆動ラインＳにそれぞれ接続された駆動素子（図示せず）を備え、ＰＷＭコントローラ９０からの指示に基づいて発光素子１を駆動する。また、ＲＡＭ７０から読み出した表示データに基づくフレーム階調制御と各フレームでのＰＷＭコントローラ９０によるＰＷＭ階調制御を組み合わせることで、１サイクルとしての画像を表示する。
（フレーム分割部４０）
【００８２】
フレーム分割部４０は、後述するタイミングコントローラ８０が生成する１画像を表示するための１サイクルＣＬを複数のフレームＦＭに分割するように制御する。
【００８３】
本実施形態では、表示ユニット１００がフレーム分割部４０を含む構成としたが、フレーム分割部４０を備えない表示ユニットとすることもできる。係る場合であっても、走査部２０により所定の共通ラインＣが選択されている時間内で駆動部３０が電流を引き込まない時間があれば、駆動ラインＳに寄生容量が充電され暗ラインが発生し得るからである。
（走査順制御部５０）
【００８４】
走査順制御部５０は、サイクル間で共通ラインＣの走査順を異ならせるように設定されている。走査順制御部５０は、共通ラインＣの走査順の制御を内部で自律式に行うこともできるし、外部から制御可能なように構成することもできる。走査部２０は走査順制御部５０からの指示に基づいて共通ラインＣを順に走査する。
【００８５】
図１では、共通ラインＣが３本（Ｃ０、Ｃ１及びＣ２）であり、各サイクルにおいて最初に走査される共通ラインＣがＣ０からＣ２に向かって連続して選択される場合について説明した。一方、共通ラインＣが５本以上ある場合は、各サイクルにおいて最初に走査される共通ラインＣを断続的に制御することもできる。つまり、走査順制御部は、所定のサイクルにおいて最初に走査する共通ラインが、次のサイクルにおいて最初に走査する共通ラインと連続しないように制御することができる。例えば、表示ユニットが共通ラインＣとしてＣ０〜Ｃ４を順に備える場合、１サイクルにおいて最初に選択される共通ラインをＣ０、次サイクルにおいて最初に選択される共通ラインをＣ２、次サイクルにおいて最初に選択される共通ラインをＣ４、次サイクルにおいて最初に選択される共通ラインをＣ１、次サイクルにおいて最初に選択される共通ラインをＣ３、とし、これを１サイクルとして複数回繰り返すことができる。各サイクルにおける最初の共通ラインを非連続とすることにより、暗ラインが走査方向に移動するようにみえる現象を軽減することができる。
（シフトレジスタ６０）
【００８６】
シフトレジスタ６０は外部から１画像を構成する表示データＤＡＴＡ＿ＩＮをシフトクロックＣＬＫ＿ＩＮにより入力する。このシフトレジスタ６０は表示部１０を構成する発光素子１すべてに対してフレーム階調とＰＷＭ階調に相当する表示データを保持できる。
（ＲＡＭ７０）
【００８７】
ＲＡＭ７０はシフトレジスタ６０の内容をＬＡＴＣＨ＿ＩＮにより保存する。ここでは記載していないが表示部１０の表示制御をするためにフレーム分割部４０およびＰＷＭコントローラ９０から読み出すとともに、外部からの表示データ入力つまりシフトレジスタ６０の内容を書き込むために２つ以上の独立したＲＡＭ構成となっている。
（タイミングコントローラ８０）
【００８８】
タイミングコントローラ８０は、ＶＳＹＮＣ＿ＩＮによりサイクルを生成し、各制御部のタイミングを制御する。
（ＰＷＭコントローラ９０）
【００８９】
ＰＷＭコントローラ９０は、フレーム分割部４０が生成したフレームにおいて、ＲＡＭ７０から読み出した表示データに基づきＰＷＭ階調制御する。
＜実施形態５＞
【００９０】
以上の例では、表示ユニットを単体で使用する例を説明したが、本発明はこれに限らず、複数の表示ユニットを接続することで、表示部を拡大した表示装置として利用することもできる。このような例を実施形態５として、図７に示す。この図に示す例では、複数の表示ユニット１００を接続し、その一端に表示ユニット１００に表示データ等を含む制御データを出力する外部制御部５００を接続して表示システムを構築としている。これにより、暗ラインの抑制された表示システムとすることができる。
＜実施形態６＞
【００９１】
実施形態５の表示装置では、サイクルにおける走査順を表示ユニットに設けられた走査順制御部５０で制御している。ただ、表示ユニットが走査順制御部５０を備えない場合であっても、外部制御部からの制御データにより、サイクル間の走査順を異ならせることもできる。つまり、外部制御部からの制御データが、１サイクルにおける共通ラインの走査順と他サイクルにおける共通ラインの走査順とを異ならせるように制御する走査順制御データを含むことにより、実施形態５と同様の作用効果を奏する表示装置とすることができる。このような例を実施形態６として、図８のブロック図に示す。
【００９２】
本実施形態に係る表示装置は、外部制御部にてフレームを生成し、フレーム毎に階調制御し各フレームを組み合わせることにより１サイクルで一画像を表示する。ここで、各フレームでの階調制御は、外部制御部からの制御信号であるＰＷＭＣＬＫ＿ＩＮとＰＷＭカウンターのリセットであるＢＬＡＮＫ＿ＩＮによりＰＷＭコントローラ９０を制御することにより行われる。
【００９３】
また、各フレームにおける走査部２０の制御を走査順制御部５０ではなく外部制御部からの走査順制御データＡＤＲ＿ＩＮ［１：０］にて行う。ここではＣ０〜Ｃ２の選択なので２ｂｉｔあれば足りる。この選択の順番を図２に示すように各サイクルで入れ替えることにより実施形態１と同様の効果が得られる。
＜実施例１＞
【００９４】
実施例１として、３２行×３２列のＬＥＤを配置した表示ユニットについて説明する。表示部は、Ｃ０〜Ｃ７の８の共通ラインを計４組、Ｓ０〜Ｓ７の８の駆動ラインを計４組、それぞれの交点に配置された１０２４のＬＥＤ（より正確には各ＬＥＤはＲｅｄ、Ｇｒｅｅｎ、Ｂｌｕｅの３つの発光素子を含む。）、を備える構成とした（図示せず）。走査部２０、駆動部３０等、基本的な構成は実施形態１（図１）と同様なのでここでは説明しない。
【００９５】
本実施例に係る表示ユニットは１／８Ｄｕｔｙダイナミック駆動で、図９のタイミングチャートに示すように、１６．３８４ｍｓの１サイクルを１６のフレームで構成し、１サイクルごとに共通ラインＣの走査順を変更した。具体的には、サイクルＣＬ１では各フレームにおいてＣ０、Ｃ１、．．．、Ｃ６、Ｃ７の順に走査し、ＣＬ２では各フレームにおいてＣ１、Ｃ２、．．．、Ｃ７、Ｃ０の順に走査し、ＣＬ３では各ＦＭにおいてＣ２、Ｃ３、．．．、Ｃ０、Ｃ１の順に走査し、この操作を順に繰り返すことで合計８サイクルで共通ラインＣの走査順が一巡するように制御した。
【００９６】
このように構成した表示ユニットにおいて、暗ラインが目立ちやすいようにあえて各サイクルのＦＭ１において最初の走査によりすべてのＬＥＤを最小時間となる５０ｎｓで点灯させた。その結果、最小輝度での点灯にもかかわらず比較例１に比べて暗ラインが視認し難くなり、表示品質の高い表示ユニットとすることができた。
＜比較例１＞
【００９７】
すべてのサイクルにおいて各フレームの走査順を、Ｃ０、Ｃ１、．．．、Ｃ６、Ｃ７とする以外は実施例１と同様の表示ユニットを作製した。各サイクルのＦＭ１の最初の走査によりすべてのＬＥＤを最小時間となる５０ｎｓで点灯させたところ、Ｃ０に配置されたＬＥＤに暗ラインが確認された。
【産業上の利用可能性】
【００９８】
本発明に係る表示装置の点灯制御方法及び表示ユニットは、例えば、大型テレビ、交通情報に利用できる。
【符号の説明】
【００９９】
１００…表示ユニット；５００…外部制御部
１…発光素子；２…点灯制御部
１０…表示部
２０…走査部
３０…駆動部
４０…フレーム分割部
５０…走査順制御部
６０…シフトレジスタ
７０…ＲＡＭ
８０…タイミングコントローラ
９０…ＰＷＭコントローラ
Ｃ…共通ライン；Ｓ…駆動ライン；ＣＬ…サイクル；ＦＭ…フレーム
【図１】
0006044063.tif 000002
【図２】
0006044063.tif 000003
【図３】
0006044063.tif 000004
【図４】
0006044063.tif 000005
【図５】
0006044063.tif 000006
【図６】
0006044063.tif 000007
【図７】
0006044063.tif 000008
【図８】
0006044063.tif 000009
【図９】
0006044063.tif 000010
【図１１】
0006044063.tif 000011
【図１２】
0006044063.tif 000012
【図１０】
0006044063.tif 000013